(57)【要約】【課題】種々の戸枠に対する見込方向の位置決めを容易に行い得る蝶番を提供する。【解決手段】蝶番１は、戸板６に固定される戸側羽根部１０と、この戸側羽根部に対して回転自在に連結され、戸枠２に固定される枠側羽根部１４と、を備えており、前記枠側羽根部における前記戸側羽根部との連結側の端部には、前記戸枠の厚さ方向に沿う方向に突出し、該戸枠の見付面４に当接される位置決め突片１８，１９が設けられている。【選択図】図１
2016035172.tif 000002
【特許請求の範囲】
【請求項１】
戸板に固定される戸側羽根部と、この戸側羽根部に対して回転自在に連結され、戸枠に固定される枠側羽根部と、を備えており、
前記枠側羽根部における前記戸側羽根部との連結側の端部には、前記戸枠の厚さ方向に沿う方向に突出し、該戸枠の見付面に当接される位置決め突片が設けられていることを特徴とする蝶番。
【請求項２】
請求項１において、
前記枠側羽根部の連結側の端部に、前記戸側羽根部との回転中心となる軸方向に間隔を空けて複数の前記位置決め突片を設けていることを特徴とする蝶番。
【請求項３】
請求項１または２において、
前記枠側羽根部及び前記戸側羽根部の連結側の端部には、互いの回転中心となる軸部及びこの軸部を受け入れる筒状軸受部を含む円柱状部が設けられており、
前記位置決め突片は、見込方向に見て、前記円柱状部に遮蔽されるように設けられていることを特徴とする蝶番。
【発明の詳細な説明】
【技術分野】
【０００１】
本発明は、戸枠に対して戸板を回転自在に連結する蝶番に関する。
【背景技術】
【０００２】
従来より、戸枠に対して開き戸等の戸板を回転自在に連結する蝶番が知られている。
このような蝶番は、戸枠側に固定される枠側羽根板を、戸枠に設けられた凹所状の切欠きに嵌め入れて位置決めし、戸枠に固定される構成とされていた（例えば、下記特許文献１参照）。
【先行技術文献】
【特許文献】
【０００３】
【特許文献１】登録実用新案第３０１４６７０号公報
【発明の概要】
【発明が解決しようとする課題】
【０００４】
しかしながら、上記のように戸枠に切欠きを設ける場合には、枠側羽根部の形状に応じた切欠きにする必要があり、更なる改善が望まれる。また、例えば、模様替えや改装等のために戸板を交換したり、戸枠をカバーで覆ったりするような場合には、施工現場において新たに切欠きを戸枠側に設ける必要が生じる場合もある。
【０００５】
本発明は、上記実情に鑑みてなされたものであり、種々の戸枠に対する見込方向の位置決めを容易に行い得る蝶番を提供することを目的としている。
【課題を解決するための手段】
【０００６】
上記目的を達成するために、本発明に係る蝶番は、戸板に固定される戸側羽根部と、この戸側羽根部に対して回転自在に連結され、戸枠に固定される枠側羽根部と、を備えており、前記枠側羽根部における前記戸側羽根部との連結側の端部には、前記戸枠の厚さ方向に沿う方向に突出し、該戸枠の見付面に当接される位置決め突片が設けられていることを特徴とする。
【発明の効果】
【０００７】
本発明に係る蝶番は、上述のような構成としたことで、種々の戸枠に対する見込方向の位置決めを容易に行うことができる。
【図面の簡単な説明】
【０００８】
【図１】（ａ）、（ｂ）は、いずれも本発明の一実施形態に係る蝶番の一例を模式的に示し、（ａ）は、同蝶番の概略平面図、（ｂ）は、同蝶番の概略一側面図である。
【図２】（ａ）は、同蝶番の概略分解一側面図、（ｂ）は、同蝶番の一部を省略した概略分解他側面図である。
【図３】（ａ）〜（ｃ）は、いずれも同蝶番の施工手順の一例を模式的に示す図１（ｂ）におけるＸ−Ｘ線矢視に対応させた一部破断概略横断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る蝶番を施工した状態を基準として上下方向等の方向を説明する。
【００１０】
図１〜図３は、本実施形態に係る蝶番の一例を模式的に示す図である。
本実施形態に係る蝶番１は、図３（ｃ）に示すように、戸枠２に対して戸板６を回転自在（開閉自在）に連結する構成とされている。この蝶番１は、上下方向に沿って適宜の間隔を空けて複数箇所に設けられる。
蝶番１の取付対象となる戸枠としての縦枠２は、図３に示すように、壁体に設けられる出入口等の開口を区画するように、枠材厚さ方向（見付方向）一方面となる反出入口側に向く見込面を、適宜の枠下地に沿わせて枠下地に取り付けられる。図例では、縦枠２を、横断面視略矩形状とされた固定枠としている。また、この縦枠２を、いわゆるちり部が見込方向（壁厚方向に沿う方向）両側に形成されるように取り付けた例を示している。また、縦枠２の出入口側に向く見込面３と手前側に向く見付面４との出隅部が、面取り部等のない直角状とされたものとしている。
【００１１】
また、縦枠２の出入口側に向く見込面３側に、縦枠２の長手方向に沿って長尺な戸当り部材５を設けた例を示している。図例では、この戸当り部材５を、縦枠２の見込面３側における見込方向中央部位に設けた例を示している。
なお、蝶番１の取付対象としては、図例のような見込面３に切欠状の蝶番取付凹所が設けられていない縦枠２でもよく、例えば、既設の縦枠の表面が改装等のためにカバー材で覆われたような縦枠でもよい。
戸板６は、略矩形平板状とされており、図例では、開き戸とされている。この戸板６の戸幅方向一方側の吊元側端部（戸尻側端部）に、蝶番１が取り付けられる。この戸板６は、吊元側端面に、切欠状の蝶番取付凹所が設けられたものでもよい。
【００１２】
本実施形態に係る蝶番１は、図１及び図３（ｃ）に示すように、戸板６に固定される戸側羽根部１０と、この戸側羽根部１０に対して回転自在に連結され、縦枠２に固定される枠側羽根部１４と、を備えている。
この蝶番１は、回転中心となる軸部１３廻りに回転自在に戸側羽根部１０と枠側羽根部１４とを連結した構成とされている。また、蝶番１は、軸部１３の軸方向を上下方向に沿わせて配設される。
また、本実施形態では、この蝶番１を、戸側羽根部１０及び枠側羽根部１４の各連結側の端部に、互いの回転中心となる軸部１３及びこの軸部１３を受け入れる筒状軸受部１６を含む円柱状部１２，１６を設けた構成としている。
また、本実施形態では、縦枠２に固定された状態の枠側羽根部１４に対して、戸側羽根部１０を連結可能な構成としている。
【００１３】
戸側羽根部１０は、平板状とされ、その厚さ方向を戸板６の戸幅方向に沿わせ、戸板６の吊元側端面に固定される平板状部１１を備えている。この平板状部１１は、厚さ方向に見て、略矩形状とされ、図例では、上下に長尺状とされている。
この平板状部１１には、戸側羽根部１０を戸板６に固定するねじ等の止具７が挿通される止具挿通孔１１ａが設けられている。本実施形態では、平板状部１１に、上下方向及び戸厚方向に沿う方向に間隔を空けて複数の止具挿通孔１１ａ，１１ａ，１１ａ，１１ａを設けている。図例では、枠側羽根部１４との連結側の端部となる軸側端部側に、上下方向に沿って間隔を空けて３つ止具挿通孔１１ａ，１１ａ，１１ａを設け、軸側端部とは異なる側の端部となる反軸側端部側に１つの止具挿通孔１１ａを設けた例を示している。また、図例では、反軸側端部側の止具挿通孔１１ａを戸厚方向に沿う方向に長径の長孔状とした例を示している。
【００１４】
なお、止具挿通孔１１ａの個数や位置、形状は、図例に限られず、適宜、変形可能である。
また、戸側羽根部１０を戸板６に取り付けた状態で、戸板６に対する戸側羽根部１０の戸厚方向及び戸幅方向の両方向または一方向への位置調整が適宜のねじ操作等によって可能とされた構成としてもよい。
また、戸側羽根部１０に、平板状部１１の表面側を覆うカバー材を設けてもよい。
【００１５】
また、この平板状部１１の軸側端部に、円柱状部１２が設けられている。この円柱状部１２は、平板状部１１の上半側部位から延設されるように平板状部１１に一体的に設けられており、当該蝶番１の軸部１３と同軸状に設けられている。
また、円柱状部１２は、図１（ａ）に示すように、その径（外径）が平板状部１１の厚さ寸法よりも大とされ、平板状部１１の厚さ方向中心にその軸心を平板状部１１の厚さ方向で概ね一致させた構成とされている。つまり、円柱状部１２は、平板状部１１の厚さ方向両側面よりも厚さ方向両側に突出するような形状とされている。
また、本実施形態では、この円柱状部１２を、平板状部１１の上半側部位の上下方向の全体に亘って設け、この円柱状部１２の下端から下方側に向けて突出させるように軸部１３を設けた構成としている。
【００１６】
軸部１３は、円柱状部１２よりも小径状とされている。また、この軸部１３は、平板状部１１の下半側部位の軸側端面との間に、隙間が形成されるように設けられている。また、図例では、この軸部１３を、平板状部１１の下半側部位の上下方向の全体に亘って設け、突出方向先端部となる下端部を先細り状とした例を示している。
なお、図例では、軸部１３の基端部に、リング状の緩衝部材を設けた例を示している。
また、この軸部１３を、円柱状部１２に対して出没自在とされた構成としてもよい。
また、枠側羽根部１４と連結された状態で、枠側羽根部１４に対する戸側羽根部１０の上下方向への位置調整が適宜のねじ操作等によって可能とされた構成としてもよい。
【００１７】
枠側羽根部１４は、平板状とされ、その厚さ方向を出入口の開口幅方向に沿わせ、縦枠２の見込面３に固定される平板状部１５を備えている。この平板状部１５は、厚さ方向に見て、略矩形状とされ、図例では、上下に長尺状とされている。
この平板状部１５には、枠側羽根部１４を縦枠２に固定する止具７が挿通される止具挿通孔１５ａが設けられている。本実施形態では、平板状部１５に、上下方向及び見込方向に沿う方向に間隔を空けて複数の止具挿通孔１５ａ，１５ａ，１５ａ，１５ａ，１５ａを設けている。図例では、戸側羽根部１０との連結側の端部となる軸側端部側に、上下方向に沿って間隔を空けて２つ止具挿通孔１５ａ，１５ａを設け、軸側端部とは異なる側の端部となる反軸側端部側に３つの止具挿通孔１５ａ，１５ａ，１５ａを設けた例を示している。
【００１８】
図例では、反軸側端部側の止具挿通孔１５ａ，１５ａ，１５ａを、枠側羽根部１４が縦枠２に固定された状態で、平板状部１５の厚さ方向に見て、間柱や鋼材（スタッド）等の壁下地に重なり合う位置となるように設けた例を示している。また、図例では、反軸側端部側の止具挿通孔１５ａ，１５ａ，１５ａを、軸側端部側の止具挿通孔１５ａ，１５ａよりも大径状とした例を示している。このような構成とすれば、比較的に呼び径が大きくかつ長軸状の止具７を、壁下地に止着するようなこともできる。
なお、止具挿通孔１５ａの個数や位置、形状は、図例に限られず、適宜、変形可能である。
【００１９】
また、この平板状部１５の軸側端部に、円柱状部としての筒状軸受部１６が設けられている。この筒状軸受部１６は、戸側羽根部１０の円柱状部１２と概ね同様、平板状部１５の下半側部位から延設されるように平板状部１５に一体的に設けられており、当該蝶番１の軸部１３と同軸状に設けられている。
また、筒状軸受部１６は、図１（ａ）に示すように、その径（外径）が平板状部１５の厚さ寸法よりも大とされ、平板状部１５の厚さ方向中心にその軸心を平板状部１５の厚さ方向で概ね一致させた構成とされている。つまり、筒状軸受部１６は、平板状部１５の厚さ方向両側面よりも厚さ方向両側に突出するような形状とされている。
【００２０】
また、この筒状軸受部１６には、戸側羽根部１０の軸部１３を受け入れ可能なように、少なくとも上方に向けて開口する軸受穴１７が設けられている。このような構成とすれば、縦枠２に固定された枠側羽根部１４の筒状軸受部１６に対して、戸板６に固定された戸側羽根部１０の軸部１３を嵌め入れるようにして戸板６を縦枠２に対して吊り込むことができ、戸板６の吊り込み作業性を向上させることができる。
また、本実施形態では、この軸受穴１７を、筒状軸受部１６を貫通するように上下両側に開口させた構成としている。このような構成とすれば、円柱状部１２に対して出没自在とされた軸部１３を、筒状軸受部１６の下端開口から適宜の治具を用いて押し込んで円柱状部１２に没入させ、筒状軸受部１６から軸部１３を脱離させるようなことも可能となる。
【００２１】
また、本実施形態では、この筒状軸受部１６を、平板状部１５の下半側部位の上下方向の全体に亘って設け、戸側羽根部１０の円柱状部１２と同径状としている。つまり、戸側羽根部１０と枠側羽根部１４とが連結された状態では、図１に示すように、これらの平板状部１１，１５間に、上下方向の全体に亘って上下に延びる円柱状部１２，１６が一連状に設けられることとなる。
なお、枠側羽根部１４の平板状部１５の上半側部位の軸側端面と戸側羽根部１０の円柱状部１２との間、及び戸側羽根部１０の平板状部１１の下半側部位の軸側端面と枠側羽根部１４の筒状軸受部１６との間には、適宜のクリアランスが設けられている。
【００２２】
また、枠側羽根部１４の軸側端部には、図１及び図２に示すように、縦枠２の厚さ方向に沿う方向に突出し、縦枠２の見付面４に当接される位置決め突片１８，１９が設けられている。
また、本実施形態では、枠側羽根部１４の軸側端部に、軸方向に間隔を空けて複数の位置決め突片１８，１９を設けている。これら位置決め突片１８，１９における縦枠２の見付面４に対面する面は、互いに同一平面状とされている。また、本実施形態では、これら位置決め突片１８，１９を、互いに概ね同様の構成としている。
これら位置決め突片１８，１９は、平板状部１５の軸側端部の縦枠２の見込面３に対面される厚さ方向一方面から平板状部１５の厚さ方向に沿って突出するように設けられている。
【００２３】
また、本実施形態では、これら位置決め突片１８，１９を、見込方向に見て、円柱状部１２，１６に遮蔽されるように設けている。つまり、これら位置決め突片１８，１９の平板状部１５の厚さ方向一方面からの突出寸法を、円柱状部１２，１６における平板状部１５の厚さ方向一方面からの平板状部１５厚さ方向に沿う寸法以下としている。
これら位置決め突片１８，１９の突出寸法は、円柱状部１２，１６の外径に応じて、また、見栄え上の観点や位置決め性の観点等から適宜の寸法としてもよく、例えば、１ｍｍ〜１０ｍｍ程度、好ましくは、２ｍｍ〜５ｍｍ程度としてもよい。
また、これら位置決め突片１８，１９の厚さ寸法（見込方向に沿う寸法）は、強度上の観点等から適宜の寸法としてもよく、本実施形態では、平板状部１５の厚さ寸法と同寸法としている。
【００２４】
また、これら位置決め突片１８，１９は、平板状部１５の（上半側部位の）軸側端面と厚さ方向一方面が同一平面状となるように設けてもよいが、本実施形態では、これら位置決め突片１８，１９を、軸側端面から僅かに反軸側端部側に寄った部位に設けている。平板状部１５の軸側端面からこれら位置決め突片１８，１９までの見込方向に沿う寸法は、縦枠２の見付面４からの当該蝶番１自体の突出寸法を小さくする観点等から、適宜の寸法としてもよく、例えば、１ｍｍ〜１０ｍｍ程度、好ましくは、２ｍｍ〜５ｍｍ程度としてもよい。
また、図例では、平板状部１５の反軸側端面からこれら位置決め突片１８，１９までの見込方向に沿う寸法を、縦枠２の見付面４から戸当り部材５までの見込方向に沿う寸法と略同寸法とした例を示しているが、これよりも小さい寸法としてもよい。
【００２５】
また、これら位置決め突片１８，１９の上下方向に沿う寸法も上記同様な観点から適宜の寸法としてもよい。
本実施形態では、平板状部１５の上半側部位及び下半側部位のそれぞれに単一の位置決め突片１８，１９を設けた構成とし、上半側部位及び下半側部位のそれぞれにおける上下方向途中部位に位置決め突片１８，１９をそれぞれに設けた構成としている。図例では、これら位置決め突片１８，１９を、上半側部位及び下半側部位のそれぞれにおける上下方向略中央部位に設けた例を示している。また、図例では、これら位置決め突片１８，１９の上下方向に沿う寸法を、平板状部１５の各半側部位の上下方向に沿う寸法の１／５程度の寸法とした例を示している。
【００２６】
また、本実施形態では、平板状部１５の上半側部位の上側位置決め突片１８を、折り曲げ状に設け、平板状部１５の下半側部位、つまり、筒状軸受部１６に隣接する下側位置決め突片１９を、切り起こし状に設けた構成としている。このような構成とすれば、例えば、上下の位置決め突片１８，１９を、鋳造成形や溶接等によって付設状に設けたようなものと比べて、効率的に設けることができる。
図例では、平板状部１５の上半側部位の軸側端面から見込方向に沿う方向に二本の切込みを設け、これら切込み間の部位を折り曲げて上側位置決め突片１８を設けた例を示している。このような構成とすれば、平板状部１５の上半側部位の軸側端面から延出させた部位を折り曲げて位置決め突片を設けたようなものと比べて、より効率的に上側位置決め突片１８を設けることができる。
また、図例では、平板状部１５の下半側部位の筒状軸受部１６の近傍部位に、打ち抜き状に下側位置決め突片１９を囲むような切込みを設け、下側位置決め突片１９を切り起こし状に設けた例を示している。
【００２７】
なお、上記のような形成態様に代えて、各位置決め突片１８，１９を、鋳造成形や溶接等によって付設状に設けるようにしてもよい。
また、各位置決め突片１８，１９の形状や位置は、上記した例に限られず、適宜、変形可能である。
また、各位置決め突片１８，１９の突出方向先端部の上下の両角部をＲ面取形状等の面取り形状としてもよい。
また、蝶番１は、金属系材料等から形成されたものとしてもよい。
【００２８】
次に、上記構成とされた蝶番１の施工手順の一例を、図３を参照して説明する。
まず、図３（ａ）、（ｂ）に示すように、枠側羽根部１４を、縦枠２の出入口側に向く見込面３に沿わせるように配する。また、位置決め突片１８，１９を、縦枠２の見付面４に当接させて縦枠２に対する見込方向の位置決めを行い、また、適宜の上下位置に位置合わせ、枠側羽根部１４を止具７によって縦枠２に固定する。また、戸板２の吊元側端面の適宜の位置に、止具７によって戸側羽根部１０を固定する。
そして、図３（ｃ）に示すように、縦枠２に固定された状態の枠側羽根部１４の筒状軸受部１６の軸受穴１７に、戸板６に固定された戸側羽根部１０の軸部１３を嵌め入れ、戸板６を縦枠２に対して吊り込むようにしてもよい。なお、このような態様に代えて、枠側羽根部１４と戸側羽根部１０とが連結され、縦枠２に固定された状態の戸側羽根部１０に対して戸板６を固定するような態様等としてもよい。その他、施工手順としては、種々の変形が可能である。
【００２９】
本実施形態に係る蝶番１は、上述のような構成としたことで、種々の戸枠（縦枠）２に対する見込方向の位置決めを容易に行うことができる。
つまり、枠側羽根部１４における戸側羽根部１０との連結側の端部（軸側端部）に、縦枠２の厚さ方向に沿う方向に突出し、縦枠２の見付面４に当接される位置決め突片１８，１９を設けている。従って、上述のように、枠側羽根部１４を縦枠２の見込面３に沿わせるようにして位置決め突片１８，１９を戸枠２の見付面４に当接させることで、縦枠２に対する見込方向の位置決めを容易に行うことができる。これにより、位置決め用の切欠きが設けられていないような種々の戸枠に対しても容易に見込方向の位置決めを行うことができる。
また、位置決め突片１８，１９を、枠側羽根部１４の軸側端部に設けているので、蝶番１自体の縦枠２からの見込方向外方側（手前側）への突出寸法を効果的に小さくすることができる。
【００３０】
また、本実施形態では、枠側羽根部１４の軸側端部に、軸方向に間隔を空けて複数の位置決め突片１８，１９を設けているので、縦枠２に対する枠側羽根部１４の見込方向の位置決めを安定的に行うことができる。また、各位置決め突片１８，１９の上下方向に沿う寸法を比較的に小さい寸法とした場合にも、枠側羽根部１４が平板状部１５の厚さ方向に沿う軸廻りに位置ずれするようなことを抑制することができる。
【００３１】
また、本実施形態では、位置決め突片１８，１９を、見込方向に見て、枠側羽根部１４及び戸側羽根部１０の軸側端部に設けられた円柱状部１２，１６に遮蔽されるように設けている。従って、見込方向手前から見た状態では、位置決め突片１８，１９が円柱状部１２，１６に遮蔽されるので、位置決め突片１８，１９を目立ち難くすることができる。なお、このような態様に代えて、位置決め突片１８，１９を、見込方向に見て、円柱状部１２，１６よりも突出するように設けるようにしてもよい。
【００３２】
なお、本実施形態では、枠側羽根部１４の平板状部１５の上半側部位及び下半側部位のそれぞれに単一の位置決め突片１８，１９を設けた構成とした例を示しているが、上半側部位及び下半側部位の両方または一方に複数の位置決め突片を設けた構成としてもよい。
また、本実施形態では、枠側羽根部１４の平板状部１５の上半側部位及び下半側部位のそれぞれにおける上下方向途中部位に位置決め突片１８，１９をそれぞれに設けた構成とした例を示しているが、このような態様に限られない。例えば、枠側羽根部１４の平板状部１５の上端部及び下端部のそれぞれに位置決め突片を設けたような態様等としてもよい。
【００３３】
また、本実施形態では、枠側羽根部１４の平板状部１５の軸側端部に、軸方向に間隔を空けて複数の位置決め突片１８，１９を設けた例を示しているが、単一の位置決め突片を設けた構成としてもよい。この場合は、枠側羽根部１４の平板状部１５の軸側端部の上下方向の全体に亘って位置決め突片を設けたような態様等としてもよい。
また、本実施形態では、縦枠２に固定された状態の枠側羽根部１４に対して、戸側羽根部１０を連結可能な構成とした例を示しているが、このような態様に代えて、戸側羽根部１０と枠側羽根部１４とが着脱不能に連結されたものとしてもよい。
【００３４】
また、上記した例では、蝶番１の枠側羽根部１４の固定対象となる縦枠２の見込面３と見付面４との出隅部が面取り部等のない直角状とされたものとした例を示しているが、見込面３と見付面４との出隅部に面取り部が設けられたものとしてもよい。この場合は、面取り部を見付面４として把握し、位置決め突片１８，１９を面取り部に沿うような形状としてもよく、または、手前側に向く平坦面状の見付面４に当接するように位置決め突片１８，１９を適宜の突出寸法等としてもよい。
また、上記した例では、縦枠２を固定枠とした例を示しているが、このような態様に代えて、縦枠２をケーシング枠としてもよい。この場合は、位置決め突片１８，１９をケーシング枠の額縁部材に干渉しないように適宜の突出寸法等としてもよい。
また、上記した例では、蝶番１の戸側羽根部１０の固定対象となる戸板２を、開き戸とした例を示しているが、このような態様に限られず、例えば、折戸の吊元側の戸板等としてもよい。
【符号の説明】
【００３５】
１    蝶番
１０  戸側羽根部
１２  円柱状部
１３  軸部
１４  枠側羽根部
１６  筒状軸受部（円柱状部）
１８  上側位置決め突片（位置決め突片）
１９  下側位置決め突片（位置決め突片）
２    縦枠（戸枠）
４    見付面
６    戸板
【図１】
2016035172.tif 000003
【図２】
2016035172.tif 000004
【図３】
2016035172.tif 000005